(57)【要約】【課題】車両により移動して現地調査する際に、音声により記録した現地調査報告から文書へ書き起こすことなく現地の位置情報を付加した現地調査レポートを作成できる現地調査レポート作成支援システムとその方法を提供する。【解決手段】現地調査レポート作成支援システム１０は、車両に設けられた音声入力手段１６に入力された音声情報を受信してテキストデータに変換する音声テキスト変換手段１８ｂと、前記車両に搭載されてこの車両の位置を検出する位置検出手段１２から所要時の前記車両の位置検出情報を受けて、位置情報表示データを作成する位置情報表示データ作成手段１８ｃと、前記テキストデータと前記位置情報表示データを含む調査レポート書を作成するための現地調査レポート情報を作成する調査レポート情報作成手段１８ｄと、前記現地調査レポート情報を保存する情報保存手段１８ｅと、を具備している【選択図】  図２
2004171480.tif 000002
【特許請求の範囲】
【請求項１】
車両に設けられた音声入力手段に入力された音声情報を受信してテキストデータに変換する音声テキスト変換手段と、
前記車両に搭載されてこの車両の位置を検出する位置検出手段から所要時の前記車両の位置検出情報を受けて、表示装置に表示させるための位置情報表示データを作成する位置情報表示データ作成手段と、
前記テキストデータと前記位置情報表示データを含む調査レポート書を作成するための現地調査レポート情報を作成する調査レポート情報作成手段と、
前記現地調査レポート情報を保存する情報保存手段と、
を具備していることを特徴とする現地調査レポート作成支援システム。
【請求項２】
前記位置検出情報に対応する地図情報および住所情報の少なくとも一方を保存する第１のデータベースを設け、前記位置情報表示データ作成手段は、前記車両の所要時の前記位置検出情報、この位置検出情報に対応する前記地図情報および前記住所情報の少なくとも一方により前記位置情報表示データを作成する機能を備えていることを特徴とする請求項１記載の現地調査レポート作成支援システム。
【請求項３】
前記位置情報表示データ作成手段は、前記車両の所要時の前記位置検出情報に基づいて前記車両の移動軌跡である車両位置情報を作成し、この車両位置情報を前記地図情報に表示可能に加えて前記位置情報表示データを作成する機能を有することを特徴とする請求項２記載の現地調査レポート作成支援システム。
【請求項４】
前記音声入力手段に入力された前記音声から、予め登録されている所定の音声を他の音声と識別して抽出し、この抽出した前記音声を音声テキスト変換手段に与えて、この音声をテキストデータに変換させる音声抽出手段を具備していることを特徴とする請求項１ないし３のいずれか１項に記載の現地調査レポート作成支援システム。
【請求項５】
前記現地調査レポート情報をオフライン媒体等の媒体に記録するための記録手段を具備していることを特徴とする請求項１ないし４のいずれか１項に記載の現地調査レポート作成支援システム。
【請求項６】
車両に設けられた音声入力手段に入力された音声情報を受信してテキストデータに変換するステップと、
前記車両の位置を検出する位置検出手段から所要時の前記車両の位置検出情報を受けて、表示装置に表示させるための位置情報表示データを作成するステップと、
前記テキストデータと前記位置情報表示データを含む調査レポート書を作成するための現地調査レポート情報を作成するステップと、
を具備していることを特徴とする現地調査レポート作成支援方法。
【発明の詳細な説明】
【０００１】
【発明の属する技術分野】
本発明は、現地調査レポート作成支援システムとその方法に係り、例えば自動車等の車両により災害現場等の現地に移動して現地調査する際に、現地の位置情報を含む現地調査レポートの作成を支援する現地調査レポート作成支援システムとその方法に関する。
【０００２】
【従来の技術】
従来、車両の移動先における位置情報を含む日報作成支援システムの一例としては、図５で示す運転日報装置１がある（例えば特許文献１参照）。
【０００３】
この運転日報装置１は、タクシーに搭載され、タクシー乗務員の運転日報の作成を支援するシステムである。この運転日報装置１は、信号処理装置２に、ＧＰＳ（Ｇｌｏｂａｌ  Ｐｏｓｉｔｉｏｎｉｎｇ  Ｓｙｓｔｅｍ）アンテナ３を有する位置演算装置４、通信装置５、料金メータ６、プリンタ７および外部記憶装置８を信号ケーブル９によりそれぞれ接続し、位置演算装置４により、ＧＰＳ人工衛星からＧＰＳ信号電波を受信してタクシーの位置を検出するようになっている。
【０００４】
また、料金メータ６は、例えば揺動自在のレバー状構成であり、このレバーを揺動操作することにより乗車モードと空車モードとを切り換え、乗客の乗車位置と降車位置とを検出し、記録することができる。
【０００５】
すなわち、運転日報装置１は、タクシー運転日報の作成を支援するために、料金メータ６からの乗客の乗車情報および降車情報と、位置演算装置４からの位置検出信号とを信号処理装置２において処理することにより、乗客の乗車位置と降車位置とを算出し、タクシー乗務員に提供することにより、乗車位置情報と降車位置情報とを含む運転日報データをタクシー乗務員が作成する際に支援することができるように構成されている。
【０００６】
【特許文献１】
特開平５−０３５９５１号公報（第１頁−第４頁、図１参照）
【０００７】
【発明が解決しようとする課題】
しかしながら、このような従来の運転日報装置１においては、タクシーの運転日報の作成を支援することはできるが、車両の位置情報を含みかつ文章により作成する現地調査レポートの作成を支援することができない。
【０００８】
すなわち、従来の運転日報装置１においては、運転日報データがタクシーへの乗客の乗降車記録とその時点における位置情報しか表示させることができない。また、従来の運転日報装置１においては、時間的に連続した動的な位置情報を表示させることができない。
【０００９】
本発明はこのような事情を考慮してなされたものであり、その目的は、自動車等の車両により災害現場等の現地に移動して現地調査する際に、音声により記録した現地調査報告から文書へ書き起こすことなく現地の位置情報を付加した現地調査レポートを作成することが可能な現地調査レポート作成支援システムとその方法を提供することにある。
【００１０】
【課題を解決するための手段】
本発明は、上述の目的を達成するために、次のように構成される。
【００１１】
すなわち請求項１に係る発明は、車両に設けられた音声入力手段に入力された音声情報を受信してテキストデータに変換する音声テキスト変換手段と、前記車両に搭載されてこの車両の位置を検出する位置検出手段から所要時の前記車両の位置検出情報を受けて、表示装置に表示させるための位置情報表示データを作成する位置情報表示データ作成手段と、前記テキストデータと前記位置情報表示データを含む調査レポート書を作成するための現地調査レポート情報を作成する調査レポート情報作成手段と、前記現地調査レポート情報を保存する情報保存手段と、を具備していることを特徴とする現地調査レポート作成支援システムである。
【００１２】
請求項２に係る発明は、前記位置検出情報に対応する地図情報および住所情報の少なくとも一方を保存する第１のデータベースを設け、前記位置情報表示データ作成手段は、前記車両の所要時の前記位置検出情報、この位置検出情報に対応する前記地図情報および前記住所情報の少なくとも一方により前記位置情報表示データを作成する機能を備えていることを特徴とする請求項１記載の現地調査レポート作成支援システムである。
【００１３】
請求項３に係る発明は、前記位置情報表示データ作成手段は、前記車両の所要時の前記位置検出情報に基づいて前記車両の移動軌跡である車両位置情報を作成し、この車両位置情報を前記地図情報に表示可能に加えて前記位置情報表示データを作成する機能を有することを特徴とする請求項２記載の現地調査レポート作成支援システムである。
【００１４】
請求項４に係る発明は、前記音声入力手段に入力された前記音声から、予め登録されている所定の音声を他の音声と識別して抽出し、この抽出した前記音声を音声テキスト変換手段に与えて、この音声をテキストデータに変換させる音声抽出手段を具備していることを特徴とする請求項１ないし３のいずれか１項に記載の現地調査レポート作成支援システムである。
【００１５】
請求項５に係る発明は、前記現地調査レポート情報をオフライン媒体等の媒体に記録するための記録手段を具備していることを特徴とする請求項１ないし４のいずれか１項に記載の現地調査レポート作成支援システムである。
【００１６】
請求項６に係る発明は、車両に設けられた音声入力手段に入力された音声情報を受信してテキストデータに変換するステップと、前記車両の位置を検出する位置検出手段から所要時の前記車両の位置検出情報を受けて、表示装置に表示させるための位置情報表示データを作成するステップと、前記テキストデータと前記位置情報表示データを含む調査レポート書を作成するための現地調査レポート情報を作成するステップと、を具備していることを特徴とする現地調査レポート作成支援方法である。
【００１７】
【発明の実施の形態】
以下、本発明の実施形態について添付図面を参照して説明する。尚、添付図面中、同一または相当部分には同一符号を付している。
【００１８】
図１は本発明の一実施形態に係る現地調査レポート作成支援システム１０の全体構成を示すシステム構成図、図２は、図１で示す現地調査レポート作成支援システム１０の機能ブロック図である。
【００１９】
図１に示すように現地調査レポート作成支援システム１０は例えば、自動車等の車両１１に、位置検出手段の一例であるＧＰＳ（Ｇｌｏｂａｌ  Ｐｏｓｉｔｉｏｎｉｎｇ  Ｓｙｓｔｅｍ：全地球測位システム）受信器１２、記録開始スイッチ１３、位置情報抽出手段１４、無線送信手段１５およびマイクロホン等の音声入力手段１６をそれぞれ搭載している。一方、調査センタ１７はレポート作成サーバ１８を配設している。
【００２０】
また、例えば調査センタ１７にはセンタ勤務者１９が勤務している。
【００２１】
図２に示すようにレポート作成サーバ１８には、第１のデータベースの一例である地図データベース２０、レポート情報データベース２１、モニタ２２、プリンタ２３、無線受信手段２４および記録手段２５をそれぞれ接続している。
【００２２】
また、レポート作成サーバ１８は、音声抽出手段の一例である作成者音声抽出手段１８ａ、音声テキスト変換手段１８ｂ、位置情報表示データ作成手段１８ｃ、調査レポート情報作成手段１８ｄ、情報保存手段１８ｅを具備している。
【００２３】
そして、現地調査レポート作成支援システム１０は、現地調査レポート作成者２６が車両１１に乗車して調査センタ１７から地震災害現場２７に移動し、現地状況を調査してから再び調査センタ１７に戻る場合に、地震災害現場２７の現地の実況を音声で入力することにより、その音声をテキストデータに変換し、文書の現地調査レポートを作成する際に支援するものである。
【００２４】
ＧＰＳ受信器１２は複数のＧＰＳ衛星２８から地上に放射される位置および時刻測定用のＧＰＳ信号を常時連続的に受信して、車両１１の位置を検出し、その位置における緯度、経度等の位置検出情報を保存する機能を有する。
【００２５】
ＧＰＳ受信器１２と記録開始スイッチ１３とは位置情報抽出手段１４と接続されており、この位置情報抽出手段１４と音声入力手段１６とは無線送信手段１５にそれぞれ接続されている。
【００２６】
記録開始スイッチ１３は、音声入力手段１６のオンオフ状態を切り換える機能と、オンに切り換えて音声入力するときの開始時刻とオフに切り換えたときの終了時刻を位置情報抽出手段１４に与える機能を有する。
【００２７】
位置情報抽出手段１４は、記録開始スイッチ１３から受けた開始時刻から終了時刻までの車両１１の位置検出情報をＧＰＳ受信器１２から受けて無線送信手段１５に与える機能を有する。
【００２８】
音声入力手段１６は、現地調査レポート作成者２６の音声を入力して、音声情報として無線送信手段１５に与える機能を有する。
【００２９】
無線送信手段１５は、位置情報抽出手段１４から受けた車両１１の位置検出情報と、音声入力手段１６から受けた音声情報とを無線を介して無線受信手段２４に送信する機能を有する。
【００３０】
無線受信手段２４は、無線送信手段１５が送信した車両１１の位置検出情報と、音声情報とをそれぞれ受信して、車両１１の位置検出情報を位置情報表示データ作成手段１８ｃに与える一方、音声情報を作成者音声抽出手段１８ａに与える機能を有する。
【００３１】
作成者音声抽出手段１８ａは、無線受信手段２４から受けた音声情報が現地調査レポート作成者２６の音声であるか否かを判断し、音声情報が現地調査レポート作成者２６の音声であると判断したときに、音声テキスト変換手段１８ｂに与える機能を有する。すなわち、作成者音声抽出手段１８ａは、雑音を含んだ音声情報を受けた場合に、この音声情報から、予め現地調査レポート作成者２６の音声として登録されている音声と他の音声とを識別し、予め登録されている音声と一致する音声情報を抽出して雑音を除去してから音声テキスト変換手段１８ｂに与える機能を有する。
【００３２】
音声テキスト変換手段１８ｂは、作成者音声抽出手段１８ａから受けた音声情報をテキストデータに変換して現地調査レポート用の文章データにし、この文章データを調査レポート情報作成手段１８ｄに与える機能を有する。
【００３３】
地図データベース２０は、緯度および経度と関連付けられた地図のイメージ情報である地図情報と住所情報とを少なくとも保存している。
【００３４】
位置情報表示データ作成手段１８ｃは、無線受信手段２４から受けた開始時刻から終了時刻までの車両１１の位置検出情報に基づいて、車両１１の位置およびその周辺の地図情報と住所情報とを地図データベース２０から検索して抽出し、この抽出した地図情報に無線受信手段２４から受けた位置検出情報に相当する位置を点、記号、線、図形等によりモニタ２２に表示するための車両位置情報を加える機能を有する。さらに位置情報表示データ作成手段１８ｃは、車両位置情報を加えた地図情報と住所情報とにより現地調査レポートの位置情報表示データを作成して調査レポート情報作成手段１８ｄに与える機能を有する。
【００３５】
例えば、位置情報表示データ作成手段１８ｃは、無線受信手段２４から受けた位置検出情報が、時間的に変化していないとき、すなわち車両１１が停止しているとき地図情報をモニタ２２に出力したときに、車両１１の位置が点あるいは記号等の要素として表示されるように車両位置情報を作成する。
【００３６】
一方、位置検出情報が、時間的に変化しているときは、地図情報をモニタ２２に出力したときに、車両１１の位置の移動軌跡が線等の要素として表示されるように車両位置情報を作成する。
【００３７】
調査レポート情報作成手段１８ｄは、位置情報表示データ作成手段１８ｃから受けた位置情報表示データと、音声テキスト変換手段１８ｂから受けた文章データとを組み合わせて所定の書式に適合した現地調査レポート情報を作成して情報保存手段１８ｅおよびレポート情報データベース２１に入力するとともに記録手段２５、モニタ２２、プリンタ２３に与える機能を有する。
【００３８】
一方、情報保存手段１８ｅおよびレポート情報データベース２１は、調査レポート情報作成手段１８ｄから与えられた現地調査レポート情報を保存する機能を有する。
【００３９】
次に、現地調査レポート作成支援システム１０における現地調査レポートの作成の作用を図３に基づいて説明する。
【００４０】
図３は、図１で示す現地調査レポート作成支援システム１０により現地調査レポート情報を作成する場合のプロセスを示すプロセスフローチャートであり、図中Ｓに数字を付した符号はフローチャートの各ステップを示す。
【００４１】
現地調査レポート作成支援システム１０は例えば、調査センタ１７から地震災害現場２７に現地調査レポート作成者２６が自動車等の車両１１に乗車して現地に赴き、その現地状況を調査して現地調査レポートを作成する場合等に使用される。
【００４２】
すなわち図１に示すように、現地調査レポート作成者２６は、車両１１に乗車して例えば２箇所の地震災害現場２７（Ａ地点、Ｂ地点）に移動して、それぞれ現地状況を調査し現地の位置表示とともに現地状況を文書として記載する現地調査レポートを作成しようとしている。
【００４３】
また、現地調査レポート作成者２６は車両１１により調査センタ１７を出てから地震災害現場２７であるＡ地点に到着したとする。
【００４４】
このような場合、まずＳ１で、現地調査レポート作成者２６は、Ａ地点到着日の現在の時刻における車両１１の位置を表示させるために、記録開始スイッチ１３をオン操作して音声入力手段１６をオンに切り換える。このため記録開始スイッチ１３から音声入力の開始時刻が位置情報抽出手段１４に与えられる。
【００４５】
次のＳ２では、現地調査レポート作成者２６は、Ａ地点の現地状況を調査して現地調査レポートに記載すべき現地状況の内容を音声で音声入力手段１６に入力する。そして、音声入力手段１６は、現地調査レポート作成者２６から入力した音声を音声情報として無線送信手段１５に与える。
【００４６】
例えばＡ地点における現地状況は、地すべりにより道路の右車線が一定区間通行不能となっていた場合、現地調査レポート作成者２６は、例えば「地震の被害状況は、地すべりにより道路の右車線が通行不能となっており、復旧にはかなりの時間を要すると思われる。」と音声入力手段１６に音声で入力する。このとき、音声入力手段１６は、現地調査レポート作成者２６の音声を入力するが、このときにはその周辺の騒音や第三者の音声等の雑音も入力されてしまう。
【００４７】
そしてＳ３で、現地調査レポート作成者２６は、Ａ地点の右車線が通行不能な道路を通り過ぎて、再び記録開始スイッチ１３を操作して音声入力手段１６をオフに切り換えた場合には、記録開始スイッチ１３は、このときの音声入力の終了時刻を位置情報抽出手段１４に与える。
【００４８】
このため、Ｓ４では、位置情報抽出手段１４が、記録開始スイッチ１３から受けた音声入力の開始時刻から終了時刻までの位置検出情報、すなわち音声入力中の車両１１の位置検出情報をＧＰＳ受信器１２から抽出して無線送信手段１５に与える。
【００４９】
そして、Ｓ５で無線送信手段１５は、音声入力手段１６から受けた音声情報と、位置情報抽出手段１４から受けた音声入力中の車両１１の位置検出情報とを無線を介して無線受信手段２４に送信する。
【００５０】
Ｓ６で、この無線送信手段１５から音声情報と音声入力中の車両１１の位置検出情報とを無線受信手段２４により受信し、音声情報を作成者音声抽出手段１８ａに与える一方、音声入力中の車両１１の位置検出情報を位置情報表示データ作成手段１８ｃに与える。
【００５１】
次にＳ７では、作成者音声抽出手段１８ａは、無線受信手段２４から受けた音声情報のなかから予め登録されている現地調査レポート作成者２６の音声に相当する音声情報のみを抽出して、音声テキスト変換手段１８ｂに与える。すなわち作成者音声抽出手段１８ａは、音声情報から雑音を排除する。
【００５２】
Ｓ８では、音声テキスト変換手段１８ｂは、作成者音声抽出手段１８ａから受けた音声情報をテキストデータに変換して現地調査レポート用の文章データを作成し、この文章データを調査レポート情報作成手段１８ｄに与える。
【００５３】
Ｓ９では、位置情報表示データ作成手段１８ｃは、無線受信手段２４から受けた音声入力中の車両１１の位置検出情報を適切に表示可能な地図情報と、音声入力の開始時刻における車両１１の位置検出情報に相当する住所情報とを地図データベース２０から検索して抽出する。さらに、位置情報表示データ作成手段１８ｃは、音声入力中の車両１１の位置検出情報を結ぶ線として表示可能な車両位置情報を作成して地図情報に加える。
【００５４】
そして、位置情報表示データ作成手段１８ｃは、車両位置情報を加えた地図情報と住所情報とにより位置情報表示データを作成して調査レポート情報作成手段１８ｄに与える。
【００５５】
次に、現地調査レポート作成者２６は、車両１１により地震災害現場２７であるＡ地点を出てから別の地震災害現場２７であるＢ地点に到着した場合は、現地調査レポート作成者２６が、当該到着日の現在の時刻における車両１１の位置を表示させるために、記録開始スイッチ１３をオン操作して音声入力手段１６をオンに切り換える。このため記録開始スイッチ１３は、このときの音声入力の開始時刻を位置情報抽出手段１４に与える。
【００５６】
そして、現地調査レポート作成者２６は、Ｂ地点において現地状況を調査して現地調査レポートに記載すべき内容を音声入力手段１６に音声で入力する。
【００５７】
例えばＢ地点における現地状況は、道路に亀裂が入っていた場合、現地調査レポート作成者２６は補修が必要と判断して、例えば「道路に亀裂があり補修が必要。」等と音声で音声入力手段１６に入力する。
【００５８】
そして、Ａ地点における作用と同様に調査レポート情報作成手段１８ｄは、音声テキスト変換手段１８ｂおよび位置情報表示データ作成手段１８ｃから文章データと位置情報表示データとを受ける。
【００５９】
ただし、Ｂ地点においては車両１１は音声入力中静止したまま移動していないため、音声入力中の車両１１の位置検出情報は不変である。
【００６０】
このため、位置情報表示データ作成手段１８ｃは、音声入力中の車両１１の位置検出情報を記号として表示可能な車両位置情報を作成して地図情報に加える。
【００６１】
そして、Ｓ１０では、調査レポート情報作成手段１８ｄが、位置情報表示データ作成手段１８ｃおよび音声テキスト変換手段１８ｂから受信したＡ地点とＢ地点における位置情報表示データおよび文章データとを組み合わせて、所定の書式に適合した現地調査レポート情報を作成する。
【００６２】
さらに、調査レポート情報作成手段１８ｄは、現地調査レポート情報を情報保存手段１８ｅおよびレポート情報データベース２１に入力する。このため、情報保存手段１８ｅおよびレポート情報データベース２１は、現地調査レポート情報を蓄積する。また、調査レポート情報作成手段１８ｄは、記録手段２５を介してオフライン媒体等の媒体に現地調査レポート情報を入力する。このため、オフライン媒体等の媒体に現地調査レポート情報が保存される。
【００６３】
また、調査レポート情報作成手段１８ｄは、現地調査レポート情報をモニタ２２、プリンタ２３に送信する。このため、モニタ２２に現地調査レポート情報が表示され、センタ勤務者１９は、このイメージ表示された現地調査レポート情報を確認することができる。また、調査レポート情報作成手段１８ｄから現地調査レポート情報をプリンタ２３に与えることにより現地調査レポート情報が印刷されてセンタ勤務者１９は、書面の現地調査レポートを得ることができる。
【００６４】
現地調査レポート作成者２６は、これらＡ地点およびＢ地点において現地調査が終了すると車両１１により調査センタ１７に移動する。
【００６５】
図４は、図２で示すプリンタ２３により出力された書面の現地調査レポートＸの一例を示す図である。
【００６６】
図４に示すように、現地調査レポートＸは例えば、現地調査を実施した月日、時刻、住所、地図および説明を表示する欄を有する。また、現地調査レポートＸは例えば調査地点ごとに上下段に表示するように構成され、上段にＡ地点の現地調査レポート情報が、下段にＢ地点の現地調査レポート情報が表示される。
【００６７】
Ａ地点の住所を表示する欄には、現地調査レポート作成者２６がＡ地点において記録開始スイッチ１３を操作して音声入力手段１６をオンに切り換えたときの、車両１１の位置の住所が表示され、災害現場であるＡ地点の住所はＡ県ＸＸ町１−５であったことが判明する。また、Ａ地点の地図を表示する欄には、このときの車両１１の位置周辺であるＡ地点の地図が表示され、さらにこの地図には音声入力中に車両１１が移動したときの軌跡が矢印により進行方向が分かるように表示されている。
【００６８】
さらに、説明を表示す欄には、現地調査レポート作成者２６がＡ地点において音声入力手段１６に入力した音声がテキスト表示されている。このため、地図に示された矢印の範囲において、道路の右車線が通行不能となっていることが分かる。
【００６９】
一方、Ｂ地点の各欄も同様に表示されるが、Ｂ地点では音声入力中に車両１１が移動していないため、車両１１の位置は×記号により表示されている。
【００７０】
すなわち、現地調査レポート作成支援システム１０は、車両１１により災害現場等の現地に移動して現地調査する際、現地調査レポート作成者２６の音声を入力してテキストデータに変換して文章データを作成し、さらにＧＰＳ受信器１２を利用して現地の住所情報および車両１１の軌跡を加えた地図情報を文章データとともに表示可能な現地調査レポート情報を作成するシステムである。
【００７１】
現地調査レポート作成支援システム１０においては、現地調査レポート作成者２６が音声を音声入力手段１６に入力するのみで文書を作成することなく現地の位置情報とともに現地調査レポートを作成することができる。このため、現地調査レポート作成者２６が現地調査レポートを作成する際の作業負荷を軽減させることができる。
【００７２】
また、現地調査レポート作成支援システム１０においては、現地においてより短時間に現地調査レポートを作成することができる。
【００７３】
また、従来は、自動車等の車両１１により災害現場に赴いて災害状況の現地調査レポートを作成する場合には、現地調査レポート作成者２６は災害状況とその位置とを音声入力手段１６により音声録音し、後日録音した音声情報から文書として書き起こし、災害現場の位置情報とともに現地調査レポートを作成していた。
【００７４】
このため、現地調査レポート作成者２６は、現地の概略住所および時間を継続的に音声により記録する必要がある。一方、現地調査レポート作成者２６が、例えば「ここでは」「この辺りには」「現在は」「５分前の位置では」「進行方向に向かって右側」のような位置および時間の代名詞あるいは不明確な語句を用いて現地状況を音声録音すると、後日確認する際に内容の把握が困難となる恐れが発生する。
【００７５】
しかし、現地調査レポート作成支援システム１０においては、現地状況を文書とともに時間的に連続した動的な車両１１の軌跡表示を加えた地図情報あるいは住所情報により確認することができるため、より容易に現地状況を把握することができる。
【００７６】
尚、上記プリンタ２３、モニタ２２、記録手段２５を必ずしも具備する必要はない。すなわち、プリンタ２３および記録手段２５を具備しない場合は、現地調査レポート情報を紙面に出力せずに電子データとして取り扱うように構成することができる一方、モニタ２２を具備しない場合は、現地調査レポート情報を紙面に出力して確認するように構成することができる。
【００７７】
また、少なくともＧＰＳ受信器１２と音声入力手段１６とを車両１１に配設すれば、その他の構成要素を設ける場所は任意である。すなわち、無線送信手段１５および無線受信手段２４を具備せずに、現地調査レポート作成支援システム１０のほぼ全ての構成を車両１１に設けてもよい。一方、無線送信手段１５および無線受信手段２４を車両１１内外に設けて、現地調査レポート作成支援システム１０のＧＰＳ受信器１２と音声入力手段１６とを除く任意の構成要素を調査センタ１７等の車両１１の外部に設け、無線により所要の信号を送受信する構成としてもよい。
【００７８】
また、車両１１は自動車、トラック、特殊作業車、自転車等の車両１１のうちいずれの車両１１でもよく、単一か複数かを問わない。また、調査センタ１７を別の車両とすることができる一方、必要がなければ調査センタ１７は具備しなくてもよい。
【００７９】
また、音声入力手段１６は車両１１内に固定される必要はなく、車両１１外部に持ち出すことが可能であってもよい。
【００８０】
また、作成者音声抽出手段１８ａは必ずしも具備する必要はなく、無線受信手段２４において受信する全ての音声のうち、人間の言語でありテキスト変換可能な音声を音声テキスト変換手段１８ｂにおいてテキスト変換するように構成してもよい。一方、作成者音声抽出手段１８ａは複数の現地調査レポート作成者２６の音声を識別可能に構成して、現地調査レポート作成者２６の氏名あるいは仮名を文章データに表示するように構成することもできる。
【００８１】
また、記録開始スイッチ１３は必ずしも具備する必要はなく、位置情報抽出手段１４が受ける音声入力の開始時刻および終了時刻の設定方法は任意である。例えば、音声入力手段１６が音声を受信し始めた時刻を開示時刻、受信する音声が途切れてから一定時間経過した時刻を終了時刻として自動的に設定して位置情報抽出手段１４に与える方法等の方法がある。音声入力手段１６を常時オン状態にして、開始時刻および終了時刻を自動的に設定して位置情報抽出手段１４に与えるように構成すれば、現地調査レポート作成者２６は車両１１を運転しながら音声入力手段１６に音声を入力することができる。
【００８２】
また、位置検出情報は、緯度、経度の他に高度を含めても良い。高度を含めることにより、現地の起伏や例えば高層建築物内において階数を把握することが可能となる。
【００８３】
また、現地調査レポートおよび現地調査レポート情報の書式は任意であり、必要な欄のみを表示すればよい。例えば、住所情報あるいは地図情報の一方を表示する構成、住所情報に加え建築物の名称を表示する構成、地図情報を表示するが車両位置情報を表示させない構成等の構成でもよい。また、日時を表示させない構成としてもよい。
【００８４】
さらに、目的に応じて住所情報あるいは地図情報のいずれも表示せずに、位置検出情報をそのまま表示させる構成としてもよい。すなわち、位置情報表示データを緯度および経度等の位置検出情報により構成して文章データとともに現地調査レポート情報を作成することも可能である。この場合、地図データベース２０は不要となる。
【００８５】
一方、記録開始スイッチ１３により設定されていない時刻においても、定常的に位置検出情報を参照して地図データベース２０の住所情報あるいは地図情報をモニタ２２に表示させる構成としてもよい。さらに、モニタ２２に表示される情報は、現地調査レポート情報のみならず、作成中の現地調査レポート情報である位置情報表示データや文章データ、時間情報、位置情報、時刻、住所情報、地図情報、車両位置情報等の任意の情報を表示させる構成としてもよい。
【００８６】
また、現地調査レポート作成支援システム１０は、別途エディタを設け現地調査レポート情報を編集可能に構成してもよい。
【００８７】
また、現地調査レポート作成支援システム１０は、地震災害に限らず水害、火災、噴火等の災害の現地状況調査に適用することもできる。
【００８８】
さらに、災害の現地状況調査に限らず、店舗、顧客等のマーケティング要素のエリア特性を調査するマーケティング支援に適用することが可能である。すなわち、現地調査レポート作成支援システム１０をマーケティング支援に適用すれば、複数の商業目的地にレポート作成者１２が車両１１により移動し、各地における競合店舗や関連企業の数および位置関係、あるいは顧客の年齢構成、生活習慣、経済活動が活発な時間帯等のマーケティング要素を調査して、位置情報とともに調査レポートを容易に作成することができる。
【００８９】
この他、現地調査レポート作成支援システム１０は、植物、動物、地質、天候等の自然環境の現地調査、鉄塔、電線、道路、水路等の設備保守の現地調査、不法投棄、環境汚染等の事件現場記録、尾行等の現地記録行為、土地、建物等の物件を調査する不動産現地調査、発掘等の文化的事業の支援に適用することも可能である。
【００９０】
【発明の効果】
以上説明したように、本発明に係る現地調査レポート作成支援システムとその方法によれば、自動車等の車両により災害現場等の現地に移動して現地調査する際に、その現地調査の実況を音声で音声入力手段に入力することにより文書を作成することなく現地調査レポートを作成し、またはその作成を支援することができる。
【図面の簡単な説明】
【図１】本発明の一実施形態に係る現地調査レポート作成支援システムの全体構成を示すシステム構成図。
【図２】図１で示す現地調査レポート作成支援システムの機能ブロック図。
【図３】図１で示す現地調査レポート作成支援システムにより現地調査レポート情報を作成する場合のプロセスを示すプロセスフローチャート。
【図４】図２で示すプリンタにより出力された書面の現地調査レポートの一例を示す図。
【図５】従来使用される運転日報装置の構成図。
【符号の説明】
１０  現地調査レポート作成支援システム
１１  車両
１２  ＧＰＳ受信器
１３  記録開始スイッチ
１４  位置情報抽出手段
１５  無線送信手段
１６  音声入力手段
１７  調査センタ
１８  レポート作成サーバ
１８ａ  作成者音声抽出手段
１８ｂ  音声テキスト変換手段
１８ｃ  位置情報表示データ作成手段
１８ｄ  調査レポート情報作成手段
１８ｅ  情報保存手段
１９  センタ勤務者１９
２０  地図データベース２０
２１  レポート情報データベース２１
２２  モニタ
２３  プリンタ
２４  無線受信手段
２５  記録手段
２６  現地調査レポート作成者
２７  地震災害現場
２８  ＧＰＳ衛星
【図１】
2004171480.tif 000003
【図２】
2004171480.tif 000004
【図３】
2004171480.tif 000005
【図４】
2004171480.tif 000006
【図５】
2004171480.tif 000007